(57)【要約】【課題】選択対象の一覧性を保持したうえで、多くの選択対象を見易く表示することができる情報表示装置、情報表示システム、情報表示方法および情報表示プログラムを提供する。【解決手段】情報表示装置１００は、円筒状パノラマ画像にアイテム画像を配置した円筒３次元画像と、回転方向と、回転速度と、を対応付けて記憶する円筒３次元画像記憶部１１０を備え、操作表示制御部１０２は、円筒３次元画像記憶部１１０に記憶する円筒３次元画像と、回転方向と、回転速度と、を対応付けて１または複数取得し、取得した円筒３次元画像それぞれを、回転方向に回転速度で回転させながら操作表示部１０３に表示する。【選択図】図１
2019049908.tif 000002
【特許請求の範囲】
【請求項１】
円筒状パノラマ画像にアイテム画像を配置した円筒３次元画像と、回転方向と、回転速度と、を対応付けて記憶する円筒３次元画像記憶手段と、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させながら表示部に表示する表示制御手段と、
を備えることを特徴とする情報表示装置。
【請求項２】
前記アイテム画像を識別するアイテムＩＤと、ウェブページのアドレス情報を含む２次元コード画像と、を対応付けて記憶するアイテム情報記憶手段と、
前記アイテム画像の指示を受付ける受付手段と、をさらに備え、
前記表示制御手段は、前記受付手段によって指示を受付けた前記アイテム画像に含むアイテムＩＤに対応付けられた前記２次元コード画像を前記アイテム情報記憶手段から取得し、取得した前記２次元コード画像を前記表示部に表示すること、を特徴とする請求項１に記載の情報表示装置。
【請求項３】
前記アイテム情報記憶手段は、前記２次元コード画像に加えて、または、前記２次元コード画像に代えて、前記アイテム画像に関する情報であるアイテム情報を記憶し、
前記表示制御手段は、前記２次元コード画像に加えて、または、前記２次元コード画像に代えて、前記アイテム情報を前記表示部に表示すること、を特徴とする請求項２に記載の情報表示装置。
【請求項４】
前記アイテム情報記憶手段は、前記２次元コード画像に代えて、前記アイテム画像に対応するアイテムを購入または提示するためのウェブサイトのアドレス情報を記憶し、
前記表示制御手段は、前記２次元コード画像に代えて、前記アドレス情報で示すウェブサイトをインラインフレームで前記表示部に表示すること、を特徴とする請求項２に記載の情報表示装置。
【請求項５】
前記情報表示装置に、前記表示部に表示する前記アイテム画像の実物または類似物を展示する展示スペース、をさらに備えることを特徴とする請求項１〜４のいずれか１つに記載の情報表示装置。
【請求項６】
円筒状パノラマ画像に、店舗や建物の正面デザインであるファサード画像を配置した円筒３次元画像と、回転方向と、回転速度と、を対応付けて記憶する円筒３次元画像記憶手段と、
前記ファサード画像に対応付けたパノラマ画像を識別するパノラマＩＤと、前記パノラマ画像と、を対応付けて記憶するパノラマ画像記憶手段と、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させながら表示部に表示する表示制御手段と、
前記円筒３次元画像上の前記ファサード画像の指示を受付ける受付手段と、を備え、
前記表示制御手段は、前記ファサード画像の指示を受付けた場合に、前記ファサード画像に含むパノラマＩＤに対応付けられた前記パノラマ画像を前記パノラマ画像記憶手段から取得し、取得した前記パノラマ画像を表示すること、を特徴とする情報表示装置。
【請求項７】
前記パノラマ画像記憶手段は、前記パノラマ画像に代えて、円筒状パノラマ画像にアイテム画像を配置した円筒３次元画像または球状パノラマ画像にアイテム画像を配置した球体３次元画像と、回転方向と、回転速度と、を対応付けて記憶し、
前記表示制御手段は、前記ファサード画像の指示を受付けた場合に、前記ファサード画像に含むパノラマＩＤに対応付けられた前記円筒３次元画像または前記球体３次元画像と、前記回転方向と、前記回転速度とを前記パノラマ画像記憶手段から取得し、取得した前記円筒３次元画像または前記球体３次元画像を前記回転方向に前記回転速度で回転させながら表示すること、を特徴とする請求項６に記載の情報表示装置。
【請求項８】
前記回転方向または／および前記回転速度の変更を受付ける回転変更受付手段、をさらに備え、
前記表示制御手段は、前記回転変更受付手段によって受付けた前記回転方向または／および前記回転速度の変更に応じ、前記円筒３次元画像を回転させながら表示すること、を特徴とする請求項１〜７のいずれか１つに記載に記載の情報表示装置。
【請求項９】
前記情報表示装置とネットワークを介して接続するサーバから前記円筒３次元画像と、前記回転方向と、前記回転速度とを受信し、受信した前記円筒３次元画像と、前記回転方向と、前記回転速度と、を対応付けて前記円筒３次元画像記憶手段に格納する円筒３次元画像受信手段、をさらに備えることを特徴とする請求項１〜８のいずれか１つに記載の情報表示装置。
【請求項１０】
前記表示制御手段は、前記表示部に表示する前記円筒３次元画像のうち、１または複数を静止画または動画に代えて、または静止画または動画に加えて表示すること、を特徴とする請求項１〜９のいずれか１つに記載の情報表示装置。
【請求項１１】
情報表示装置と、携帯端末装置と、からなる情報表示システムにおいて、
前記情報表示装置は、
円筒状パノラマ画像にアイテム画像を配置した円筒３次元画像と、回転方向と、回転速度と、を対応付けて記憶する３次元画像記憶手段と、
前記アイテム画像を識別するアイテムＩＤと、ウェブページのアドレス情報を含む２次元コード画像と、を対応付けて記憶するアイテム情報記憶手段と、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させながら表示部に表示する表示制御手段と、
前記アイテム画像の指示を受付ける受付手段と、を備え、
前記表示制御手段は、前記受付手段によって指示を受付けた前記アイテム画像に含むアイテムＩＤに対応付けられた前記２次元コード画像を前記アイテム情報記憶手段から取得し、取得した２次元コード画像を前記表示部に表示し、
前記携帯端末装置は、
前記情報表示装置に表示した前記２次元コード画像を撮像する撮像手段と、
前記撮像手段によって撮像した前記２次元コード画像から前記ウェブページのアドレス情報を取得し、取得した前記ウェブページを表示する操作表示手段と、
を備えることを特徴とする情報表示システム。
【請求項１２】
円筒状パノラマ画像にアイテム画像を配置した円筒３次元画像と、回転方向と、回転速度と、を対応付けて記憶する円筒３次元画像記憶手段を備えるコンピュータによって実行される情報表示方法であって、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させながら表示部に表示する表示制御ステップと、
を備えることを特徴とする情報表示装置。
を含むことを特徴とする情報表示方法。
【請求項１３】
円筒状パノラマ画像に、店舗や建物の正面デザインであるファサード画像を配置した円筒３次元画像と、回転方向と、回転速度と、を対応付けて記憶する円筒３次元画像記憶手段と、前記ファサード画像に対応付けたパノラマ画像を識別するパノラマＩＤと、前記パノラマ画像と、を対応付けて記憶するパノラマ画像記憶手段と、を備えるコンピュータによって実行される情報表示方法であって、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させながら表示部に表示する表示制御ステップと、
前記円筒３次元画像上の前記ファサード画像の指示を受付ける受付ステップと、を含み、
前記表示制御ステップは、前記ファサード画像の指示を受付けた場合に、前記ファサード画像に含むパノラマＩＤに対応付けられた前記パノラマ画像を前記パノラマ画像記憶手段から取得し、取得した前記パノラマ画像を表示すること、を特徴とする情報表示方法。
【請求項１４】
円筒状パノラマ画像にアイテム画像を配置した円筒３次元画像と、回転方向と、回転速度と、を対応付けて記憶する円筒３次元画像記憶手段を備えるコンピュータに、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させながら表示部に表示する表示制御ステップ、
を実行させることを特徴とする情報表示プログラム。
【請求項１５】
円筒状パノラマ画像に、店舗や建物の正面デザインであるファサード画像を配置した円筒３次元画像と、回転方向と、回転速度と、を対応付けて記憶する円筒３次元画像記憶手段と、前記ファサード画像に対応付けたパノラマ画像を識別するパノラマＩＤと、前記パノラマ画像と、を対応付けて記憶するパノラマ画像記憶手段と、を備えるコンピュータに、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させながら表示部に表示する表示制御ステップと、
前記円筒３次元画像上の前記ファサード画像の指示を受付ける受付ステップと、を実行させ、
前記表示制御ステップは、前記ファサード画像の指示を受付けた場合に、前記ファサード画像に含むパノラマＩＤに対応付けられた前記パノラマ画像を前記パノラマ画像記憶手段から取得し、取得した前記パノラマ画像を表示すること、を特徴とする情報表示プログラム。
【発明の詳細な説明】
【技術分野】
【０００１】
本発明は、情報表示装置、情報表示システム、情報表示方法および情報表示プログラムに関する。
【背景技術】
【０００２】
近年、数多くのＥＣ（Electronic Commerce）サイトが公開され、多くのユーザが画面に表示されたさまざまな商品を購入している。既存のＥＣサイトでは、ユーザは階層化されたメニューを次々と指示することや商品名や商品の特徴を表す文言で検索することによって目的の商品を探し出すことが多い。
【０００３】
しかし、そのような一般的な方法で商品を選択する場合には、ユーザは商品についての明確なイメージを持って操作をしなければ商品を表示することができず、ユーザの漠然とした感性に合う商品を探し出すことがなかなかできなかった。また展示された商品をあれこれ見て回るという実店舗でのショッピングの楽しみをＥＣサイトで再現することが難しかった。そこで、かかる課題を解決するために、出願人は球状パノラマ画像にアイテム画像を配置した３次元画像を所定方向と所定速度で回転させながら表示する技術を開示した（特許文献１参照）。かかる技術によって、従来技術とは異なる、商品の一覧性が高い画面表示を実現することができた。
【先行技術文献】
【特許文献】
【０００４】
【特許文献１】特許第6094918号公報
【発明の概要】
【発明が解決しようとする課題】
【０００５】
しかしながら、上述する特許文献１に記載した商品等を表示する技術では、１つの球体にアイテム画像を配置しているため、球体全体での一覧性は確保できるものの、球体の各所にアイテム画像を固定的に配置しているため、画面上の上下左右は常時同一のアイテム画像の組合せで表示されるという問題があった。またアイテム画像が多くなると、かなり拡大しないとアイテム画像の詳細を確認できないという問題があった。
【０００６】
本発明は、上記に鑑みてなされたものであり、選択対象の一覧性を保持したうえで、多くの選択対象を見易く表示することができる情報表示装置、情報表示システム、情報表示方法および情報表示プログラムを提供することを目的とする。
【課題を解決するための手段】
【０００７】
上述した課題を解決するために、本発明では、円筒３次元画像記憶手段に記憶する、円筒状パノラマ画像にアイテム画像を配置した円筒３次元画像と、回転方向と、回転速度と、を対応付けて１または複数取得し、取得した円筒３次元画像それぞれを、回転方向に回転速度で回転させながら表示部に表示することを特徴とする。
【０００８】
また本発明では、円筒３次元画像記憶手段に記憶する、店舗や建物の正面デザインであるファサード画像を配置した円筒３次元画像と、回転方向と、回転速度と、を対応付けて１または複数取得し、取得した円筒３次元画像それぞれを、回転方向に回転速度で回転させながら表示部に表示し、円筒３次元画像上のファサード画像の指示を受付けた場合に、ファサード画像に含むパノラマＩＤに対応付けられたパノラマ画像をパノラマ画像記憶手段から取得し、取得したパノラマ画像を表示することを特徴とする。
【発明の効果】
【０００９】
上記のように構成した本発明によれば、選択対象の一覧性を保持したうえで、多くの選択対象を見易く表示することができるという効果を奏する。
【図面の簡単な説明】
【００１０】
【図１】実施例１にかかる情報表示システム１０の構成を示すブロック図である。
【図２】円筒３次元画像記憶部１１０のデータ構成の一例を示す説明図である。
【図３】アイテム情報記憶部１２０のデータ構成の一例を示す説明図である。
【図４】画面表示イメージの一例を示す説明図である。
【図５】情報表示装置１００が実行する情報表示処理手順を示すフローチャートである。
【図６】携帯端末装置２００が実行する情報取得処理手順を示すフローチャートである。
【図７】アイテムの実物または類似物を展示する展示スペースを加えた情報表示装置１００の一例を示す説明図である。
【図８】実施例２にかかる情報表示システム２０の構成を示すブロック図である。
【図９】パノラマ画像記憶部４３０のデータ構成の一例を示す説明図である。
【図１０】情報表示装置４００が実行する情報表示処理手順を示すフローチャートである。
【図１１】ファサード画像を含む円筒３次元画像を表示する画面表示の一例を示す説明図である。
【発明を実施するための形態】
【００１１】
以下、添付図面を参照し本発明の実施例を説明する。なお以下の説明は、実施の形態の一例であり、本発明はこれらの実施例に限定されるものではない。
【実施例１】
【００１２】
図１は、実施例１にかかる情報表示システム１０の構成を示すブロック図である。図１に示すように、情報表示システム１０は、情報表示装置１００と、携帯端末装置２００と、サーバ３００とを備える。携帯端末装置２００とサーバ３００は、ネットワークＮを介して互いに通信可能に接続する。情報表示装置１００は、ネットワークＮに接続しても接続しなくてもよい。ネットワークＮは、一部または全部が有線あるいは無線であり、インターネット、イントラネット、ＬＡＮ（Local Area Network）、移動体通信網等の通信ネットワークである。
【００１３】
情報表示装置１００は、円筒３次元画像を所定の回転方向に所定の回転速度で回転しながら表示するとともに、表示した円筒３次元画像に含まれるアイテム画像に対する操作を受付け、操作に応じた処理を実行する情報処理装置である。情報表示装置１００は、一例としてタブレット端末や、タッチパネルを備えるパーソナルコンピュータ（以下、ＰＣという）、店舗等のガラス窓等に画像を投影するプロジェクタと投影画像に対する指示を感知するタッチセンサとを備えるＰＣ等の情報処理装置である。
【００１４】
携帯端末装置２００は、ユーザが操作するスマートフォン端末、タブレット端末、ＰＣ等である。携帯端末装置２００は、情報表示装置１００の操作表示部１０３に表示した２次元コード画像を撮像し、撮像した２次元コード画像からウェブページのアドレス情報、すなわちＵＲＬ（Uniform Resource Locator）を取得し、取得したＵＲＬのウェブページを表示する。
【００１５】
サーバ３００は、ネットワークＮを介して携帯端末装置２００に接続し、携帯端末装置２００から送信されたＨＴＴＰ（HyperText Transfer Protocol）等によるリクエストに対し、リクエストに応じたレスポンスを送信する、いわゆるウェブサーバである。サーバ３００は、図示しない記憶部にアイテム画像に関するウェブページ等を記憶する。
【００１６】
次に、情報表示装置１００の機能、構成について説明する。情報表示装置１００は、円筒３次元画像記憶部１１０と、アイテム情報記憶部１２０と、円筒３次元画像入力部１０１と、操作表示制御部１０２と、操作表示部１０３とを備える。
【００１７】
図２は、円筒３次元画像記憶部１１０のデータ構成の一例を示す説明図である。円筒３次元画像記憶部１１０は、円筒３次元画像と、回転方向と、回転速度と、その他の情報とを対応付けて記憶する。
【００１８】
ここで、円筒３次元画像とは、パノラマ画像を円筒状に切り取ったパノラマ画像（以下、円筒状パノラマ画像という）にアイテム画像を配置した３次元画像（以下、円筒３次元画像という）である。円筒状パノラマ画像は、アイテム画像を配置する際の背景であり、円筒の半径はアイテム画像の大きさや数量に応じてさまざまな大きさを採ることができる。
【００１９】
円筒状パノラマ画像は、建物や施設、店舗等の内部または外観、さらには、街、都市等における１つの視点から得られる立体角４πラジアンの画像、いわゆる全天球画像を円筒状に表示できるように切り取った（または表示できるように加工した）画像であり、このような画像を用いることによってある視点を中心とした水平３６０度の画像を円筒状の画像として表示することができる。なお円筒状パノラマ画像は、特に画像のない単色の円筒状の画像であってもよい。
【００２０】
円筒状パノラマ画像のもととなるパノラマ画像は、正距円筒図法（equirectangular）、正距方位図法、メルカトル図法、魚眼法などの既知の投影図法によって生成することができる。なお円筒状パノラマ画像は、実在の建物、施設、店舗や街、都市等をカメラで撮像した写真、架空または実在の空間をコンピュータで演算して作成したコンピュータグラフィクス（以下ＣＧと示す）、あるいは写真とＣＧとの合成によって生成してもよい。
【００２１】
アイテム画像は、アイテムを表示した画像であり、アイテム画像は、アイテムを識別する情報であるアイテムＩＤを含む。これにより、画面上のアイテム画像を指示することによってアイテムＩＤを取得することができる。アイテムは、例えば販売対象である商品や展示対象である物品等であり、その他の画面上で表示することができ視覚によって認識できるものであれば、どのようなものであってもよい。
【００２２】
回転方向は、円筒３次元画像を回転させる方向であり、円筒３次元画像を水平に配置する場合は、例えば“右から左に回転”または“左から右に回転”を円筒３次元画像記憶部１１０に記憶する。回転速度は、円筒３次元画像を回転させる速度であり、例えば“１秒あたり角度１０度の速度で回転”等を円筒３次元画像記憶部１１０に記憶する。
【００２３】
図３は、アイテム情報記憶部１２０のデータ構成の一例を示す説明図である。アイテム情報記憶部１２０は、アイテムに関する情報を記憶する。アイテム情報記憶部１２０は、アイテムＩＤと、２次元コード画像と、その他の情報と、を対応付けて記憶する。２次元コード画像は、例えばＱＲコード（登録商標）やその他の２次元コード画像であり、２次元コード画像にはアイテムに関する情報を提示するためのウェブページのアドレス情報（ウェブページのＵＲＬ）を含む。その他の情報には、アイテム画像に関する情報であるアイテム情報、具体的にはアイテム名、価格、説明文等を記憶してもよい。例えばアイテムが販売対象である商品であれば、価格等の販売に必要な情報を記憶してもよい。また説明文等の文字を含む情報は、言語ごとに複数の文字情報を記憶してもよい。
【００２４】
またアイテム情報記憶部１２０は、２次元コード画像に代えて、アイテム情報を記憶してもよい。またアイテム情報記憶部１２０は、２次元コード画像に代えて、アイテムに関する情報を購入または提示するためのウェブページのアドレス情報（ウェブページのＵＲＬ）を記憶してもよい。
【００２５】
円筒３次元画像入力部１０１は、円筒３次元画像記憶部１１０に記憶する円筒３次元画像、回転方向、回転速度の入力を受付け、円筒３次元画像記憶部１１０に格納する。円筒３次元画像入力部１０１は、一例としてＵＳＢ（Universal Serial Bus）ポートであり、ＵＳＢポートを介してＵＳＢメモリ等に記憶する円筒３次元画像、回転方向、回転速度を取得し、円筒３次元画像記憶部１１０に格納する。また円筒３次元画像入力部１０１は、ネットワークＮに接続する送受信部であってもよく、ネットワークＮを介して図示しないサーバに接続し、サーバから円筒３次元画像、回転方向、回転速度を受信し、円筒３次元画像記憶部１１０に格納してもよい。
【００２６】
操作表示制御部１０２は、円筒３次元画像、回転方向、回転速度を円筒３次元画像記憶部１１０から１または複数取得し、取得した円筒３次元画像それぞれを回転方向に回転速度で回転させながら操作表示部１０３に表示する。より具体的には、操作表示制御部１０２は、円筒３次元画像記憶部１１０から取得した円筒３次元画像を、円筒の中心部（または外部）からの円筒の赤道部への視線と、回転方向と回転速度とから算出した表示領域で切り取り、切り取った表示画像を操作表示部１０３に次々に表示する。
【００２７】
図４は、画面表示イメージの一例を示す説明図である。表示画面４１は、円筒３次元画像４２を表示領域で切り取った表示画像４３を表示する。図４に示すように、円筒３次元画像４２を円筒３次元画像記憶部１１０に記憶されている順に（または所定の表示ルールに従って）層状に重ねて表示する。表示画像４３には、アイテム画像４４を複数配置する。矢印４５は、円筒３次元画像４２の回転方向と回転速度を模式的に示したものである。表示画面４６は、表示画面を上方にスクロールした場合を示す。上方または下方にスクロールすることによって、異なる円筒３次元画像が表示されるため、より多くのアイテム画像を表示することができる。なお図４は、円筒３次元画像を上下の縦方向に積層し水平方向に回転させる場合を一例として説明したが、円筒３次元画像を左右の横方向に配置し垂直方向に回転させてもよく、または他の角度に配置し回転させてもよい。その場合には、アイテム画像をユーザが見やすい角度に配置する。
【００２８】
操作表示部１０３は、入力部と表示部とからなり、情報表示装置１００がタブレット端末等の場合は、液晶ディスプレイとタッチセンサを重畳して構成するタッチパネルである。タッチパネルの液晶ディスプレイは、円筒３次元画像、メニュー、アイコン、図形、文字等の各種の情報を表示画面に表示するとともに、タッチセンサは、表示画面に対する操作指示や文字入力等の入力操作を検出する。操作表示部１０３は、通常のタッチパネルのほか、ガラス窓等に画像を投影するプロジェクタと赤外線イメージセンサを利用し三角測量により位置を検出するタッチセンサ、ヘッドマウントディスプレイ、データグローブ、モーションセンサ、ディスプレイとマウス、キーボード等であってもよい。
【００２９】
次に携帯端末装置２００の機能、構成について説明する。携帯端末装置２００は、送受信部２０１と、操作表示制御部２０２と、操作表示部２０３と、撮像部２０４とを備える。
【００３０】
送受信部２０１は、さまざまなリクエストをサーバ３００に送信し、リクエストに対するレスポンスを受信する。より具体的には、送受信部２０１は、撮像部２０４で撮像した２次元コード画像から取得したＵＲＬをサーバ３００に送信し、ＵＲＬに対応するウェブページをサーバ３００から受信する。
【００３１】
操作表示制御部２０２は、サーバ３００から受信したウェブページを操作表示部２０３に表示する。操作表示制御部２０２は、操作表示部２０３に表示する表示画像に対する操作指示を受付ける。
【００３２】
操作表示部２０３は、入力部と表示部とからなり、携帯端末装置２００がスマートフォン端末やタブレット端末等の場合は、液晶ディスプレイとタッチセンサを重畳して構成するタッチパネルである。タッチパネルの液晶ディスプレイは、メニュー、アイコン、図形、文字等の各種の情報を表示画面に表示するとともに、タッチセンサは、表示画面に対する操作指示や文字入力等の入力操作を検出する。
【００３３】
撮像部２０４は、カメラを備え、情報表示装置１００の操作表示部１０３に表示する２次元コード画像を撮像し、撮像した２次元コード画像からＵＲＬ等の情報を取得する。
【００３４】
上述のように構成された情報表示システム１０の情報表示装置１００で実行する情報表示処理について説明する。図５は、情報表示装置１００が実行する情報表示処理手順を示すフローチャートである。
【００３５】
操作表示制御部１０２は、複数の円筒３次元画像と、円筒３次元画像それぞれの回転方向と回転速度を円筒３次元画像記憶部１１０から取得する（ステップＳ５０１）。なお円筒３次元画像記憶部１１０から取得する円筒３次元画像と回転方向と回転速度は、複数ではなく１のみ取得してもよい。操作表示制御部１０２は、複数の円筒３次元画像それぞれを、それぞれの回転方向、回転速度で回転させながら操作表示部１０３に表示する（ステップＳ５０２）。
【００３６】
操作表示制御部１０２は、回転方向または回転速度の変更、スクロールの入力を受付けたか否かを判断する（ステップＳ５０３）。回転方向または回転速度の変更を受付けたと判断した場合は（ステップＳ５０３：Ｙｅｓ）、操作表示制御部１０２は、回転方向または回転速度を変更し表示する（ステップＳ５０４）。スクロールの入力を受付けたと判断した場合は（ステップＳ５０３：Ｙｅｓ）、操作表示制御部１０２は、表示画像を入力したスクロールに応じ表示する（ステップＳ５０４）。回転方向または回転速度の変更、スクロールを受付けていないと判断した場合は（ステップＳ５０３：Ｎｏ）、ステップＳ５０５に進む。
【００３７】
操作表示制御部１０２は、アイテム画像の指示を受付けたか否かを判断する（ステップＳ５０５）。アイテム画像の指示を受付けたと判断した場合は（ステップＳ５０５：Ｙｅｓ）、操作表示制御部１０２は、アイテム画像に対応付けられた２次元コード画像をアイテム情報記憶部１２０から取得する（ステップＳ５０６）。より具体的には、操作表示制御部１０２は、アイテム画像に含まれるアイテムＩＤを取得し、取得したアイテムＩＤに対応付けられた２次元コード画像をアイテム情報記憶部１２０から取得する。
【００３８】
操作表示制御部１０２は、２次元コード画像を操作表示部１０３に表示する（ステップＳ５０７）。なお２次元コード画像のみを表示するのではなく、２次元コード画像に加えアイテム情報記憶部１２０に記憶するアイテム名や説明文等を表示してもよい。なおアイテム情報記憶部１２０に、２次元コード画像に代えてアイテム情報を記憶する場合は、２次元コード画像に代えてアイテム情報を表示してもよい。またアイテム情報記憶部１２０は、２次元コード画像に代えて、ウェブページのアドレス情報（ウェブページのＵＲＬ）を記憶する場合は、２次元コード画像に代えてアドレス情報に対応するウェブページをインラインフレーム（別ウィンドウでの表示）で表示してもよい。
【００３９】
アイテム画像の指示を受付けていないと判断した場合は（ステップＳ５０５：Ｎｏ）、ステップＳ５０８に進む。操作表示制御部１０２は、表示を終了するか否かを判断する（ステップＳ５０８）。表示を終了しないと判断する（ステップＳ５０８：Ｎｏ）、ステップＳ５０２に戻り、円筒３次元画像それぞれをそれぞれの回転方向、回転速度で回転させた表示画像を表示する。表示を終了すると判断する（ステップＳ５０８：Ｙｅｓ）、例えば電源がＯＦＦされた場合や表示時間が経過した場合に表示を終了する（ステップＳ５０９）。
【００４０】
また円筒３次元画像記憶部１１０に音声データを円筒３次元画像に対応付けて記憶し、回転方向や回転速度の変更を受付ける等の円筒３次元画像に対する指示を受付けた場合に円筒３次元画像に対応付けられた音声データを回転速度に合わせて出力してもよい。
【００４１】
上述した情報表示装置１００は、ネットワークに接続されていない場合でも動作するため、電波の届きにくい環境でも使用することができる。またネットワーク環境が整っている場合には、図示しないサーバから円筒３次元画像、回転方向、回転速度を随時受信することができるため、時間帯や季節等に合った情報に容易に変更して表示することができる。
【００４２】
なお上述した実施例では、円筒３次元画像を回転させる回転速度は、円筒３次元画像記憶部１１０に記憶する回転速度を用いたが、予め定められた回転速度を使用するのではなく、円筒３次元画像の大きさやアイテム画像の大きさ、数に応じて回転速度を算出し使用してもよい。
【００４３】
次に上述のように構成された情報表示システム１０の携帯端末装置２００で実行する情報取得処理について説明する。図６は、携帯端末装置２００が実行する情報取得処理手順を示すフローチャートである。
【００４４】
撮像部２０４は、ユーザの指示に応じ情報表示装置１００の画面に表示された２次元コード画像を撮像する（ステップＳ６０１）。撮像部２０４は、撮像した２次元コード画像からＵＲＬを取得する（ステップＳ６０２）。送受信部２０１は、ＵＲＬの示すウェブページをサーバ３００にリクエストする（ステップＳ６０３）。送受信部２０１は、ウェブページをサーバ３００から受信する（ステップＳ６０４）。操作表示制御部２０２は、ウェブページを操作表示部２０３に表示する（ステップＳ６０５）。なおウェブページは、アイテム画像で示すアイテムの詳細情報のほか、アイテムを購入することができるＥＣ（Electronic Commerce）サイト、店舗や施設への経路、割引クーポン等、さらにそれらの組合せたウェブページであってもよい。
【００４５】
このように、情報表示装置１００では、数多くのアイテム画像を配置した円筒３次元画像それぞれを所定の回転方向、所定の回転速度で回転させながら表示するため、従来のＥＣサイトのような階層化された表示と異なり、ユーザは何ら操作をしなくても多くのアイテム画像を目にすることができる。さらにユーザはアイテム画像を指示することで表示した２次元コード画像を撮像することで、ユーザの携帯端末装置２００でアイテムに関連するウェブページを表示することができる。これにより、ユーザは興味を持ったアイテムに関する情報を容易に手に入れることができ、店舗や施設への誘導が容易になる。
【００４６】
またユーザの携帯端末装置２００に表示するウェブページがＥＣサイトである場合、情報表示装置１００で表示されているアイテムを容易に購入することもできる。この場合、アイテムを購入する際の決済処理は、ユーザの携帯端末装置２００で実行するため、セキュリティを確保してアイテムを購入できる。このように、情報表示装置１００は、電子看板（デジタルサイネージ）として広告、宣伝等を表示するだけでなく、店舗や施設等への誘導やアイテム購入等のユーザの行動を促すことができる。
【００４７】
他の実施例として、図４に示すように、表示画面のすべてに円筒３次元画像を表示するのではなく、そのうちの１または複数を静止画または動画に代えてまたは加えて表示してもよい。なお静止画または動画は、表示画面の上部等の予め定めた位置に固定して表示してもよい。これにより、ユーザはアイテム画像のみではなく印象的な広告等を見ることができるとともに、広告等で紹介されているアイテムをその場で購入することや店舗や施設等の情報をその場で得ることができる。
【００４８】
また他の実施例として、アイテムの実物または色違い等の類似物を展示する展示スペースを加えた情報表示装置を開示する。図７は、アイテムの実物または類似物を展示する展示スペースを加えた情報表示装置１００の一例を示す説明図である。情報表示装置１００は、上述した操作表示部１０３に加え、アイテムの実物または類似物を展示する展示スペース７１を備えている。
【００４９】
このように、アイテム画像を操作表示部１０３に表示するだけでなく、展示スペース７１にアイテムの実物または類似物を展示することによって、例えば肌触り等の品質や実際の発色等を確かめることができ、アイテム購入の動機付けとなる。またアイテムの実物を確かめたうえで、操作表示部１０３に表示する多くの色違いやデザイン違いアイテムのなかから自分の好みのアイテムを選択することができる。このような展示スペース７１を備える情報表示装置１００は、店舗の閉店後や無人店舗において、販売員を置かなくてもアイテムの実物または類似物とともにアイテムに関する情報の提供やアイテムの販売を実施することができる。
【実施例２】
【００５０】
次に円筒３次元画像上にアイテム画像に代えてファサード画像を配置し、ファサード画像の指示を受付けた場合に、ファサード画像に関連するパノラマ画像を表示する処理について説明する。
【００５１】
図８は、実施例２にかかる情報表示システム２０の構成を示すブロック図である。情報表示システム２０は、情報表示装置４００と、携帯端末装置２００と、サーバ３００を備える。なお実施例１と同様の機能を有する部分については同一の番号を付しており、実施例１での説明を参照し、ここでの説明は省略する。
【００５２】
情報表示装置４００は、円筒３次元画像記憶部１１０と、アイテム情報記憶部１２０と、パノラマ画像記憶部４３０と、円筒３次元画像入力部１０１と、操作表示制御部１０２と、操作表示部１０３とを備える。
【００５３】
図９は、パノラマ画像記憶部４３０のデータ構成の一例を示す説明図である。パノラマ画像記憶部４３０は、パノラマ画像を識別する情報であるパノラマＩＤと、パノラマ画像と、その他の情報と、を対応付けて記憶する。
【００５４】
上述のように構成された情報表示システム２０の情報表示装置４００で実行する情報表示処理について説明する。図１０は、情報表示装置４００が実行する情報表示処理手順を示すフローチャートである。
【００５５】
ステップＳ１００１〜ステップＳ１００４は、図５のステップＳ５０１〜ステップＳ５０４と同様であるため、図５での説明を参照し、ここでの説明を省略する。
【００５６】
操作表示制御部１０２は、ファサード画像の指示を受付けたか否かを判断する（ステップＳ１００５）。ここで、ファサード画像とは、店舗や施設、建物の正面デザイン（入り口）の画像である。図１１は、ファサード画像を含む円筒３次元画像を表示する画面表示の一例を示す説明図である。図１１に示すように、表示画面１１は、円筒３次元画像を表示領域で切り取った表示画像１２を表示する。表示画像１２は、ファサード画像１３を複数配置する。また円筒３次元画像が表示画面１１に表示しきれない場合は、スクロールバー１４等を設け、スクロールできるようにする。
【００５７】
ファサード画像の指示を受付けたと判断した場合は（ステップＳ１００５：Ｙｅｓ）、操作表示制御部１０２は、ファサード画像に対応付けられたパノラマ画像をパノラマ画像記憶部４３０から取得する（ステップＳ１００６）。より具体的には、操作表示制御部１０２は、ファサード画像に含まれるパノラマＩＤを取得し、取得したパノラマＩＤに対応付けられたパノラマ画像をパノラマ画像記憶部４３０から取得する。操作表示制御部１０２は、パノラマ画像を操作表示部１０３に表示する（ステップＳ１００７）。パノラマ画像の指示を受付けていないと判断した場合は（ステップＳ１００５：Ｎｏ）、ステップＳ１００９に進む。
【００５８】
操作表示制御部１０２は、パノラマ画像の表示を終了するか否かを判断する（ステップＳ１００８）。パノラマ画像の表示を終了しないと判断した場合は（ステップＳ１００８：Ｎｏ）、ステップＳ１００７に戻り、パノラマ画像のなかをユーザからの指示に応じてウォークスルーし店舗等の内部を表示する、または画面を拡大・縮小して店舗等に配置されている商品等や室内外の様子を表示する。パノラマ画像の表示を終了すると判断する（ステップＳ１００８：Ｙｅｓ）、ステップＳ１００９に進む。
【００５９】
操作表示制御部１０２は、表示を終了するか否かを判断する（ステップＳ１００９）。表示を終了しないと判断する（ステップＳ１００９：Ｎｏ）、ステップＳ１００２に戻り、それぞれの円筒３次元画像を回転させて表示する。表示を終了すると判断する（ステップＳ１００９：Ｙｅｓ）、表示を終了する（ステップＳ１０１０）。
【００６０】
このように、表示画面に円筒３次元画像に配置された店舗や施設、建物の入り口の画像を次々と表示するため、ユーザは気になる入り口を何ら操作することなく探すことができる。またファサード画像を指示することによって、店舗や施設、建物のなかを歩いているようなパノラマ画像を表示することができるため、ユーザは画面で自身の求めるものに合った店舗や施設、建物を実際に出向く前に確認することができる。
【００６１】
また情報表示装置４００を商業施設のフロア案内に利用することによって、ユーザが実際に各階に行って確認することなく店舗の雰囲気や商品を確認することができる。また実際の店舗等だけでなく、インターネット上の店舗等が集まったショッピングモールとして利用することができる。ユーザは、ユーザが所持するタブレット端末等で表示することによって、いつでも自由に店舗等を散策することができる。
【００６２】
他の実施例として、ファサード画像を指示した場合に、パノラマ画像に代えてそのファサード画像に対応する店舗等で扱う商品等を、実施例１で説明したアイテム画像を配置した円筒３次元画像で表示してもよい。
【００６３】
また他の実施例として、ファサード画像を指示した場合に、パノラマ画像に代えてそのファサード画像に対応する店舗等で扱うアイテムを球状パノラマ画像にアイテム画像として配置し表示する処理を実行してもよい。かかる処理の詳細は、出願人による特許出願（特許第6094918号公報）を参照する。
【００６４】
上述した実施例１、２にかかる情報表示装置１００、４００、携帯端末装置２００のハードウェア構成は、ＣＰＵ（Central Processing Unit）、ＲＯＭ（Read Only Memory）やＲＡＭ（Random Access Memory）、ＨＤＤ（Hard Disk Drive）等の外部記憶装置、通信制御装置等を備えた通常のコンピュータであり、ＲＯＭやＲＡＭ、ＨＤＤ等に記憶されたプログラムをＣＰＵが読み出し動作させることによって、上述した構成や機能を実現する。
【００６５】
情報表示装置１００、４００、携帯端末装置２００で動作するプログラムは、インターネット等のネットワークＮに接続されたコンピュータ上に格納しておき、ネットワークＮ経由でダウンロードさせることにより提供したり、インストール可能な形式又は実行可能な形式のファイルでＣＤ−ＲＯＭ、ＤＶＤ、ＵＳＢメモリ、ＳＤカード等のコンピュータで読取り可能な記録媒体に記録し提供してもよい。また、上述した機能や処理を実現するプログラムは、ＡＰＩ（Application Programming Interface）やＳａａＳ（Software as a Service）、クラウドコンピューティングという利用形態で提供してもよい。
【００６６】
なお、本発明は、上述した実施例そのままに限定されるものではなく、必ずしも物理的に図示のように構成されている必要はない。また、本発明は、実施例１、２で説明した構成要素の全部または一部を、各種の負荷や使用状況などに応じ、任意の単位で機能的または物理的に分割、統合、入替、変形または削除して構成することができる。
【符号の説明】
【００６７】
Ｎ…ネットワーク、１０，２０…情報表示システム、１００，４００…情報表示装置、１０１…円筒３次元画像入力部、１０２…操作表示制御部、１０３…操作表示部、１１０…円筒３次元画像記憶部、１２０…アイテム情報記憶部、４３０…パノラマ画像記憶部、２００…携帯端末装置、２０１…送受信部、２０２…操作表示制御部、２０３…操作表示部、２０４…撮像部
【図１】
2019049908.tif 000003
【図２】
2019049908.tif 000004
【図３】
2019049908.tif 000005
【図４】
2019049908.tif 000006
【図５】
2019049908.tif 000007
【図６】
2019049908.tif 000008
【図７】
2019049908.tif 000009
【図８】
2019049908.tif 000010
【図９】
2019049908.tif 000011
【図１０】
2019049908.tif 000012
【図１１】
2019049908.tif 000013
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
円筒状パノラマ画像にアイテム画像を配置した円筒３次元画像と、回転方向と、回転速度と、を対応付けて記憶する円筒３次元画像記憶手段と、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させるとともに、前記円筒３次元画像を表示領域で切り取った表示画像を表示部に表示する表示制御手段と、
を備えることを特徴とする情報表示装置。
【請求項２】
前記アイテム画像を識別するアイテムＩＤと、ウェブページのアドレス情報を含む２次元コード画像と、を対応付けて記憶するアイテム情報記憶手段と、
前記アイテム画像の指示を受付ける受付手段と、をさらに備え、
前記表示制御手段は、前記受付手段によって指示を受付けた前記アイテム画像に含むアイテムＩＤに対応付けられた前記２次元コード画像を前記アイテム情報記憶手段から取得し、取得した前記２次元コード画像を前記表示部に表示すること、を特徴とする請求項１に記載の情報表示装置。
【請求項３】
前記アイテム情報記憶手段は、前記２次元コード画像に加えて、または、前記２次元コード画像に代えて、前記アイテム画像に関する情報であるアイテム情報を記憶し、
前記表示制御手段は、前記２次元コード画像に加えて、または、前記２次元コード画像に代えて、前記アイテム情報を前記表示部に表示すること、を特徴とする請求項２に記載の情報表示装置。
【請求項４】
前記アイテム情報記憶手段は、前記２次元コード画像に代えて、前記アイテム画像に対応するアイテムを購入または提示するためのウェブサイトのアドレス情報を記憶し、
前記表示制御手段は、前記２次元コード画像に代えて、前記アドレス情報で示すウェブサイトをインラインフレームで前記表示部に表示すること、を特徴とする請求項２に記載の情報表示装置。
【請求項５】
前記情報表示装置に、前記表示部に表示する前記アイテム画像の実物または類似物を展示する展示スペース、をさらに備えることを特徴とする請求項１〜４のいずれか１つに記載の情報表示装置。
【請求項６】
円筒状パノラマ画像に、店舗や建物の正面デザインであるファサード画像を配置した円筒３次元画像と、回転方向と、回転速度と、を対応付けて記憶する円筒３次元画像記憶手段と、
前記ファサード画像に対応付けたパノラマ画像を識別するパノラマＩＤと、前記パノラマ画像と、を対応付けて記憶するパノラマ画像記憶手段と、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させながら表示部に表示する表示制御手段と、
前記円筒３次元画像上の前記ファサード画像の指示を受付ける受付手段と、を備え、
前記表示制御手段は、前記ファサード画像の指示を受付けた場合に、前記ファサード画像に含むパノラマＩＤに対応付けられた前記パノラマ画像を前記パノラマ画像記憶手段から取得し、取得した前記パノラマ画像を表示すること、を特徴とする情報表示装置。
【請求項７】
前記パノラマ画像記憶手段は、前記パノラマ画像に代えて、円筒状パノラマ画像にアイテム画像を配置した円筒３次元画像または球状パノラマ画像にアイテム画像を配置した球体３次元画像と、回転方向と、回転速度と、を対応付けて記憶し、
前記表示制御手段は、前記ファサード画像の指示を受付けた場合に、前記ファサード画像に含むパノラマＩＤに対応付けられた前記円筒３次元画像または前記球体３次元画像と、前記回転方向と、前記回転速度とを前記パノラマ画像記憶手段から取得し、取得した前記円筒３次元画像または前記球体３次元画像を前記回転方向に前記回転速度で回転させながら表示すること、を特徴とする請求項６に記載の情報表示装置。
【請求項８】
前記回転方向または／および前記回転速度の変更を受付ける回転変更受付手段、をさらに備え、
前記表示制御手段は、前記回転変更受付手段によって受付けた前記回転方向または／および前記回転速度の変更に応じ、前記円筒３次元画像を回転させながら表示すること、を特徴とする請求項１〜６のいずれか１つに記載に記載の情報表示装置。
【請求項９】
前記情報表示装置とネットワークを介して接続するサーバから前記円筒３次元画像と、前記回転方向と、前記回転速度とを受信し、受信した前記円筒３次元画像と、前記回転方向と、前記回転速度と、を対応付けて前記円筒３次元画像記憶手段に格納する円筒３次元画像受信手段、をさらに備えることを特徴とする請求項１〜８のいずれか１つに記載の情報表示装置。
【請求項１０】
前記表示制御手段は、前記表示部に表示する前記円筒３次元画像のうち、１または複数を静止画または動画に代えて、または静止画または動画に加えて表示すること、を特徴とする請求項１〜９のいずれか１つに記載の情報表示装置。
【請求項１１】
情報表示装置と、携帯端末装置と、からなる情報表示システムにおいて、
前記情報表示装置は、
円筒状パノラマ画像にアイテム画像を配置した円筒３次元画像と、回転方向と、回転速度と、を対応付けて記憶する３次元画像記憶手段と、
前記アイテム画像を識別するアイテムＩＤと、ウェブページのアドレス情報を含む２次元コード画像と、を対応付けて記憶するアイテム情報記憶手段と、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させるとともに、前記円筒３次元画像を表示領域で切り取った表示画像を表示部に表示する表示制御手段と、
前記アイテム画像の指示を受付ける受付手段と、を備え、
前記表示制御手段は、前記受付手段によって指示を受付けた前記アイテム画像に含むアイテムＩＤに対応付けられた前記２次元コード画像を前記アイテム情報記憶手段から取得し、取得した２次元コード画像を前記表示部に表示し、
前記携帯端末装置は、
前記情報表示装置に表示した前記２次元コード画像を撮像する撮像手段と、
前記撮像手段によって撮像した前記２次元コード画像から前記ウェブページのアドレス情報を取得し、取得した前記ウェブページを表示する操作表示手段と、
を備えることを特徴とする情報表示システム。
【請求項１２】
円筒状パノラマ画像にアイテム画像を配置した円筒３次元画像と、回転方向と、回転速度と、を対応付けて記憶する円筒３次元画像記憶手段を備えるコンピュータによって実行される情報表示方法であって、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させるとともに、前記円筒３次元画像を表示領域で切り取った表示画像を表示部に表示する表示制御ステップと、
を含むことを特徴とする情報表示方法。
【請求項１３】
円筒状パノラマ画像に、店舗や建物の正面デザインであるファサード画像を配置した円筒３次元画像と、回転方向と、回転速度と、を対応付けて記憶する円筒３次元画像記憶手段と、前記ファサード画像に対応付けたパノラマ画像を識別するパノラマＩＤと、前記パノラマ画像と、を対応付けて記憶するパノラマ画像記憶手段と、を備えるコンピュータによって実行される情報表示方法であって、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させながら表示部に表示する表示制御ステップと、
前記円筒３次元画像上の前記ファサード画像の指示を受付ける受付ステップと、を含み、
前記表示制御ステップは、前記ファサード画像の指示を受付けた場合に、前記ファサード画像に含むパノラマＩＤに対応付けられた前記パノラマ画像を前記パノラマ画像記憶手段から取得し、取得した前記パノラマ画像を表示すること、を特徴とする情報表示方法。
【請求項１４】
円筒状パノラマ画像にアイテム画像を配置した円筒３次元画像と、回転方向と、回転速度と、を対応付けて記憶する円筒３次元画像記憶手段を備えるコンピュータに、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させるとともに、前記円筒３次元画像を表示領域で切り取った表示画像を表示部に表示する表示制御ステップ、
を実行させることを特徴とする情報表示プログラム。
【請求項１５】
円筒状パノラマ画像に、店舗や建物の正面デザインであるファサード画像を配置した円筒３次元画像と、回転方向と、回転速度と、を対応付けて記憶する円筒３次元画像記憶手段と、前記ファサード画像に対応付けたパノラマ画像を識別するパノラマＩＤと、前記パノラマ画像と、を対応付けて記憶するパノラマ画像記憶手段と、を備えるコンピュータに、
前記円筒３次元画像記憶手段に記憶する前記円筒３次元画像と、前記回転方向と、前記回転速度とを対応付けて１または複数取得し、取得した前記円筒３次元画像それぞれを、前記回転方向に前記回転速度で回転させながら表示部に表示する表示制御ステップと、
前記円筒３次元画像上の前記ファサード画像の指示を受付ける受付ステップと、を実行させ、
前記表示制御ステップは、前記ファサード画像の指示を受付けた場合に、前記ファサード画像に含むパノラマＩＤに対応付けられた前記パノラマ画像を前記パノラマ画像記憶手段から取得し、取得した前記パノラマ画像を表示すること、を特徴とする情報表示プログラム。
【手続補正２】
【補正対象書類名】明細書
【補正対象項目名】０００７
【補正方法】変更
【補正の内容】
【０００７】
上述した課題を解決するために、本発明では、円筒３次元画像記憶手段に記憶する、円筒状パノラマ画像にアイテム画像を配置した円筒３次元画像と、回転方向と、回転速度と、を対応付けて１または複数取得し、取得した円筒３次元画像それぞれを、回転方向に回転速度で回転させるとともに、前記円筒３次元画像を表示領域で切り取った表示画像を表示部に表示することを特徴とする。